(57)【特許請求の範囲】
【請求項１】
圧縮機（２１ａ、２１ｂ）と熱源側熱交換器（２４ａ、２５ａ、２４ｂ、２５ｂ）とレシーバ（２８ａ、２８ｂ）とを有する複数の熱源ユニット（２ａ、２ｂ）と、利用側熱交換器（５２ａ、５２ｂ、５２ｃ、５２ｄ）を有する利用ユニット（３ａ、３ｂ、３ｃ、３ｄ）とが接続されることによって構成される冷媒回路（１０）を備えた冷凍装置において、
前記各レシーバに、前記レシーバ内の液面が所定位置まで達しているかどうかを検知するためのレシーバ液面検知管（４３ａ、４３ｂ）を接続し、
前記各レシーバ液面検知管に、開閉可能なガス抜き弁（４２ａ、４２ｂ）を設け、
前記冷媒回路に冷媒が過充填されているかどうかを判定するための冷凍サイクル運転である過充填検知運転を行い、
前記過充填検知運転時に、前記複数の熱源ユニット間の冷媒の偏流の有無を検知するための状態量である偏流検知状態量を前記複数の熱源ユニット間で比較して、前記偏流検知状態量間の関係が非偏流条件を満たす場合に、前記ガス抜き弁を開けて前記レシーバ内の液面が所定位置まで達しているかどうかを検知することで、前記冷媒回路に冷媒が過充填されているかどうかを判定し、
前記過充填検知運転は、前記利用側熱交換器を冷媒の蒸発器として機能させ、かつ、前記各熱源側熱交換器を冷媒の放熱器として機能させる運転であり、
前記非偏流条件を満たすとともに、前記冷媒回路のうち前記複数の熱源ユニットと前記利用ユニットとを接続する液冷媒連絡管（７）を含む前記レシーバと前記利用側熱交換器との間の部分が液冷媒で満たされる液充満条件を満たす場合に、前記ガス抜き弁を開ける、
冷凍装置（１）。
【請求項２】
前記偏流検知状態量は、冷媒の放熱器として機能する前記各熱源側熱交換器（２４ａ、２５ａ、２４ｂ、２５ｂ）の出口における冷媒の過冷却度、又は、前記過冷却度に等価な状態量である、
請求項１に記載の冷凍装置（１）。
【発明の詳細な説明】
【技術分野】
【０００１】
本発明は、冷凍装置、特に、圧縮機と熱源側熱交換器とレシーバとを有する複数の熱源ユニットと、利用側熱交換器を有する利用ユニットとが接続されることによって構成される冷媒回路を備えた冷凍装置に関する。
【背景技術】
【０００２】
従来より、特許文献１（特開２００６−２９２２１２号公報）に示すように、圧縮機と熱源側熱交換器とレシーバとを有する熱源ユニットと、利用側熱交換器を有する利用ユニットとが接続されることによって構成される冷媒回路を備えた空気調和装置（冷凍装置）がある。この冷凍装置では、レシーバが所定液面まで達しているかどうかを検知するためのレシーバ液面検知管がレシーバに接続されている。
【発明の概要】
【発明が解決しようとする課題】
【０００３】
冷凍装置では、上記のレシーバ液面検知管を用いて、冷媒回路に冷媒が過充填されているかどうかを判定することが考えられる。例えば、冷媒の過充填が発生しているものと判定できる液面位置にレシーバ液面検知管を接続し、この液面位置をレシーバの所定液面とする。そして、冷媒回路に冷媒が過充填されているかどうかを判定するための冷凍サイクル運転である過充填検知運転を行った際に、レシーバ液面検知管によってレシーバが所定液面まで達している場合には、冷媒の過充填が発生しているものと判定するのである。
【０００４】
しかし、冷凍装置として複数の熱源ユニットを接続した構成を採用した場合には、冷媒が熱源ユニット間で偏流するおそれがあり、いずれかの熱源ユニットに冷媒が偏ると、冷媒回路に規定量の冷媒が充填されており冷媒の過充填が発生していないにもかかわらず、所定液面まで達しているレシーバを有する熱源ユニットが存在するものと判定される場合があり、冷媒が過充填されているものと誤検知するおそれがある。
【０００５】
本発明の課題は、レシーバを有する複数の熱源ユニットと利用ユニットとが接続されることによって構成される冷媒回路を備えた冷凍装置において、誤検知なく過充填検知を行えるようにすることにある。
【課題を解決するための手段】
【０００６】
第１の観点にかかる冷凍装置は、圧縮機と熱源側熱交換器とレシーバとを有する複数の熱源ユニットと、利用側熱交換器を有する利用ユニットとが接続されることによって構成される冷媒回路を含んでいる。各レシーバには、レシーバ内の液面が所定位置まで達しているかどうかを検知するためのレシーバ液面検知管を接続し、各レシーバ液面検知管には、開閉可能なガス抜き弁を設けている。そして、ここでは、冷媒回路に冷媒が過充填されているかどうかを判定するための冷凍サイクル運転である過充填検知運転を行い、過充填検知運転時に、複数の熱源ユニット間の冷媒の偏流の有無を検知するための状態量である偏流検知状態量を複数の熱源ユニット間で比較して、偏流検知状態量間の関係が非偏流条件を満たす場合に、ガス抜き弁を開けてレシーバ内の液面が所定位置まで達しているかどうかを検知することで、冷媒回路に冷媒が過充填されているかどうかを判定する。
【０００７】
ここでは、上記のように、複数の熱源ユニットを接続した構成において、レシーバ液面検知管によって過充填検知を行うにあたり、レシーバ液面検知管のガス抜き弁を開けて過充填検知を行うタイミングを、熱源ユニット間で冷媒の偏流が発生していないとみなせる非偏流条件を満たした後にしている。
【０００８】
これにより、ここでは、熱源ユニット間で冷媒の偏流が発生していない状態でレシーバ液面検知管による過充填検知を誤検知なく行うことができる。
【０００９】
しかも、ここでは、過充填検知運転が、利用側熱交換器を冷媒の蒸発器として機能させ、かつ、各熱源側熱交換器を冷媒の放熱器として機能させる運転である。
【００１０】
ここでは、上記のように、過充填検知運転として、各熱源ユニットの熱源側熱交換器を冷媒の放熱器として機能させる運転を採用することで、過充填検知運転時に、多くの液冷媒を熱源側熱交換器に溜めた状態にして、各熱源ユニットのレシーバに液冷媒が極力溜まらない状態を作り出すようにしている。
【００１１】
これにより、ここでは、過充填が発生していない場合で、かつ、複数の熱源ユニット間の冷媒の偏流が発生していない場合には、各熱源ユニットのレシーバの液面が所定液面よりも低い液面位置で安定した運転状態に保ち、そして、複数の熱源ユニット間の冷媒の偏流が発生した場合や過充填が発生した場合には、レシーバの液面の変化が明確に現れるようにすることができる。
【００１２】
さらに、ここでは、非偏流条件を満たすとともに、冷媒回路のうち複数の熱源ユニットと利用ユニットとを接続する液冷媒連絡管を含むレシーバと利用側熱交換器との間の部分が液冷媒で満たされる液充満条件を満たす場合に、ガス抜き弁を開ける。
【００１３】
ここでは、上記のように、過充填検知運転時に、熱源側熱交換器と同様に多くの液冷媒が溜まる液管部分（液冷媒連絡管を含むレシーバと利用側熱交換器との間の部分）にも確実に液冷媒を溜めた状態にして、各熱源ユニットのレシーバに液冷媒が極力溜まらない状態を作り出すようにしている。
【００１４】
これにより、ここでは、過充填が発生していない場合で、かつ、複数の熱源ユニット間の冷媒の偏流が発生していない場合には、各熱源ユニットのレシーバの液面が所定液面よりも低い液面位置で安定した運転状態に保ち、そして、複数の熱源ユニット間の冷媒の偏流が発生した場合や過充填が発生した場合には、レシーバの液面の変化が明確に現れるようにすることができる。
【００１５】
第２の観点にかかる冷凍装置は、第１の観点にかかる冷凍装置において、偏流検知状態量が、冷媒の放熱器として機能する各熱源側熱交換器の出口における冷媒の過冷却度、又は、過冷却度に等価な状態量である。
【００１６】
ここでは、上記のように、各熱源ユニットの熱源側熱交換器に溜まる液冷媒の量に応じて変化が発生する各熱源側熱交換器の出口における冷媒の過冷却度、又は、過冷却度に等価な状態量を偏流検知状態量としている。
【００１７】
これにより、ここでは、過充填検知運転時に、各熱源ユニットのレシーバに溜まる液冷媒の量に対して大きく影響を及ぼす各熱源ユニットの熱源側熱交換器に溜まる液冷媒の量を比較することによって、非偏流条件を満たすかどうかを正確に判定することができる。
【発明の効果】
【００１８】
以上の説明に述べたように、本発明によれば、以下の効果が得られる。
【００１９】
第１の観点にかかる冷凍装置では、熱源ユニット間で冷媒の偏流が発生していない状態でレシーバ液面検知管による過充填検知を誤検知なく行うことができる。しかも、過充填が発生していない場合で、かつ、複数の熱源ユニット間の冷媒の偏流が発生していない場合には、各熱源ユニットのレシーバの液面が所定液面よりも低い液面位置で安定した運転状態に保ち、そして、複数の熱源ユニット間の冷媒の偏流が発生した場合や過充填が発生した場合には、レシーバの液面の変化が明確に現れるようにすることができる。さらに、過充填が発生していない場合で、かつ、複数の熱源ユニット間の冷媒の偏流が発生していない場合には、各熱源ユニットのレシーバの液面が所定液面よりも低い液面位置で安定した運転状態に保ち、そして、複数の熱源ユニット間の冷媒の偏流が発生した場合や過充填が発生した場合には、レシーバの液面の変化が明確に現れるようにすることができる。
【００２０】
第２の観点にかかる冷凍装置では、過充填検知運転時に、各熱源ユニットのレシーバに溜まる液冷媒の量に対して大きく影響を及ぼす各熱源ユニットの熱源側熱交換器に溜まる液冷媒の量を比較することによって、非偏流条件を満たすかどうかを正確に判定することができる。
【図面の簡単な説明】
【００２１】
【図１】本発明にかかる冷凍装置の一実施形態としての冷暖同時運転型空気調和装置の概略構成図（熱源ユニットについては１台だけを詳細に図示）である。
【図２】本発明にかかる冷凍装置の一実施形態としての冷暖同時運転型空気調和装置の概略構成図（熱源ユニットだけを図示）である。
【図３】レシーバ及びその周辺の構造を示す概略図である。
【図４】通常運転モードの冷房運転における動作（冷媒の流れ）を示す図である。
【図５】通常運転モードの暖房運転における動作（冷媒の流れ）を示す図である。
【図６】通常運転モードの冷暖同時運転（蒸発負荷主体）における動作（冷媒の流れ）を示す図である。
【図７】通常運転モードの冷暖同時運転（放熱負荷主体）における動作（冷媒の流れ）を示す図である。
【図８】試運転モードの過充填検知運転のフローチャートである。
【図９】試運転モードの過充填検知運転における動作（冷媒の流れ）を示す図である。
【発明を実施するための形態】
【００２２】
以下、本発明にかかる冷凍装置の実施形態について、図面に基づいて説明する。尚、本発明にかかる冷凍装置の具体的な構成は、下記の実施形態及びその変形例に限られるものではなく、発明の要旨を逸脱しない範囲で変更可能である。
【００２３】
（１）冷凍装置（冷暖同時運転型空気調和装置）の構成
図１は、本発明にかかる冷凍装置の一実施形態としての冷暖同時運転型空気調和装置１の概略構成図（熱源ユニット２ａだけを詳細に図示）である。図２は、本発明にかかる冷凍装置の一実施形態としての冷暖同時運転型空気調和装置の概略構成図（熱源ユニット２ａ、２ｂだけを図示）である。冷暖同時運転型空気調和装置１は、蒸気圧縮式の冷凍サイクル運転を行うことによって、ビル等の室内の冷暖房に使用される装置である。
【００２４】
冷暖同時運転型空気調和装置１は、主として、複数（ここでは、２台）の熱源ユニット２ａ、２ｂと、複数（ここでは、４台）の利用ユニット３ａ、３ｂ、３ｃ、３ｄと、各利用ユニット３ａ、３ｂ、３ｃ、３ｄに接続される接続ユニット４ａ、４ｂ、４ｃ、４ｄと、接続ユニット４ａ、４ｂ、４ｃ、４ｄを介して熱源ユニット２ａ、２ｂと利用ユニット３ａ、３ｂ、３ｃ、３ｄとを接続する冷媒連絡管７、８、９とを有している。すなわち、冷暖同時運転型空気調和装置１の蒸気圧縮式の冷媒回路１０は、熱源ユニット２ａ、２ｂと、利用ユニット３ａ、３ｂ、３ｃ、３ｄと、接続ユニット４ａ、４ｂ、４ｃ、４ｄと、冷媒連絡管７、８、９とが接続されることによって構成されている。そして、冷暖同時運転型空気調和装置１は、各利用ユニット３ａ、３ｂ、３ｃ、３ｄが個別に冷房運転又は暖房運転を行うことが可能になっており、暖房運転を行う利用ユニットから冷房運転を行う利用ユニットに冷媒を送ることで利用ユニット間において熱回収を行うこと（ここでは、冷房運転と暖房運転とを同時に行う冷暖同時運転を行うこと）が可能になるように構成されている。しかも、冷暖同時運転型空気調和装置１では、上記の熱回収（冷暖同時運転）も考慮した複数の利用ユニット３ａ、３ｂ、３ｃ、３ｄ全体の熱負荷に応じて、熱源ユニット２ａ、２ｂの熱負荷をバランスさせるように構成されている。
【００２５】
＜利用ユニット＞
利用ユニット３ａ、３ｂ、３ｃ、３ｄは、ビル等の室内の天井に埋め込みや吊り下げ等、又は、室内の壁面に壁掛け等により設置されている。利用ユニット３ａ、３ｂ、３ｃ、３ｄは、冷媒連絡管７、８、９及び接続ユニット４ａ、４ｂ、４ｃ、４ｄを介して熱源ユニット２ａ、２ｂに接続されており、冷媒回路１０の一部を構成している。
【００２６】
次に、利用ユニット３ａ、３ｂ、３ｃ、３ｄの構成について説明する。尚、利用ユニット３ａと利用ユニット３ｂ、３ｃ、３ｄとは同様の構成であるため、ここでは、利用ユニット３ａの構成のみ説明し、利用ユニット３ｂ、３ｃ、３ｄの構成については、それぞれ、利用ユニット３ａの各部を示す符号の添字「ａ」の代わりに、「ｂ」、「ｃ」又は「ｄ」の添字を付して、各部の説明を省略する。
【００２７】
利用ユニット３ａは、主として、冷媒回路１０の一部を構成しており、利用側冷媒回路１３ａ（利用ユニット３ｂ、３ｃ、３ｄでは、それぞれ、利用側冷媒回路１３ｂ、１３ｃ、１３ｄ）を有している。利用側冷媒回路１３ａは、主として、利用側流量調節弁５１ａと、利用側熱交換器５２ａとを有している。
【００２８】
利用側流量調節弁５１ａは、利用側熱交換器５２ａを流れる冷媒の流量の調節等を行うために、利用側熱交換器５２ａの液側に接続された開度調節が可能な電動膨張弁である。
【００２９】
利用側熱交換器５２ａは、冷媒と室内空気との熱交換を行うための機器であり、例えば、多数の伝熱管及びフィンによって構成されたフィン・アンド・チューブ型熱交換器からなる。ここで、利用ユニット３ａは、ユニット内に室内空気を吸入して、熱交換した後に、供給空気として屋内に供給するための室内ファン５３ａを有しており、室内空気と利用側熱交換器３２ａを流れる冷媒とを熱交換させることが可能である。室内ファン５３ａは、室内ファンモータ５４ａによって駆動される。
【００３０】
また、利用ユニット３ａは、利用ユニット３ａを構成する各部５１ａ、５４ａの動作を制御する利用側制御部５０ａを有している。そして、利用側制御部５０ａは、利用ユニット３ａの制御を行うために設けられたマイクロコンピュータやメモリを有しており、リモコン（図示せず）との間で制御信号等のやりとりを行ったり、熱源ユニット２ａ、２ｂとの間で制御信号等のやりとりを行うことができるようになっている。
【００３１】
＜熱源ユニット＞
熱源ユニット２ａ、２ｂは、ビル等の屋上等に設置されており、冷媒連絡管７、８、９を介して利用ユニット３ａ、３ｂ、３ｃ、３ｄに接続されており、利用ユニット３ａ、３ｂ、３ｃ、３ｄとの間で冷媒回路１０を構成している。
【００３２】
次に、熱源ユニット２ａ、２ｂの構成について説明する。尚、熱源ユニット２ａと熱源ユニット２ｂとは同様の構成であるため、ここでは、熱源ユニット２ａの構成のみ説明し、熱源ユニット２ｂの構成については、それぞれ、熱源ユニット２ａの各部を示す符号末尾の添字「ａ」の代わりに、「ｂ」の添字を付して、各部の説明を省略する。
【００３３】
熱源ユニット２ａは、主として、冷媒回路１０の一部を構成しており、熱源側冷媒回路１２ａ（熱源ユニット２ｂでは、熱源側冷媒回路１２ｂ）を有している。熱源側冷媒回路１２ａは、主として、圧縮機２１ａと、複数（ここでは、２つ）の熱交切換機構２２ａ、２３ａと、主熱源側熱交換器としての２つの熱源側熱交換器２４ａ、２５ａと予冷熱交換器３５ａとからなる熱源側熱交換器と、冷媒冷却器３６ａと、２つの熱源側熱交換器２４ａ、２５ａに対応する熱源側流量調節弁２６ａ、２７ａと、予冷熱交換器３５ａ及び冷媒冷却器３６ａに対応する冷媒冷却側流量調節弁３７ａと、レシーバ２８ａと、ブリッジ回路２９ａと、高低圧切換機構３０ａと、液側閉鎖弁３１ａと、高低圧ガス側閉鎖弁３２ａと、低圧ガス側閉鎖弁３３ａとを有している。
【００３４】
圧縮機２１ａは、ここでは、冷媒を圧縮するための機器であり、例えば、圧縮機モータ２１ａａをインバータ制御することで運転容量を可変することが可能なスクロール型等の容積式圧縮機からなる。
【００３５】
第１熱交切換機構２２ａは、主熱源側熱交換器としての第１熱源側熱交換器２４ａを冷媒の放熱器として機能させる場合（以下、「放熱運転状態」とする）には圧縮機２１ａの吐出側と第１熱源側熱交換器２４ａのガス側とを接続し（図１及び図２の第１熱交切換機構２２ａの実線を参照）、第１熱源側熱交換器２４ａを冷媒の蒸発器として機能させる場合（以下、「蒸発運転状態」とする）には圧縮機２１ａの吸入側と第１熱源側熱交換器２４ａのガス側とを接続するように（図１及び図２の第１熱交切換機構２２ａの破線を参照）、熱源側冷媒回路１２ａ内における冷媒の流路を切り換えることが可能な機器であり、例えば、四路切換弁からなる。また、第２熱交切換機構２３ａは、主熱源側熱交換器としての第２熱源側熱交換器２５ａを冷媒の放熱器として機能させる場合（以下、「放熱運転状態」とする）には圧縮機２１ａの吐出側と第２熱源側熱交換器２５ａのガス側とを接続し（図１及び図２の第２熱交切換機構２３ａの実線を参照）、第２熱源側熱交換器２５ａを冷媒の蒸発器として機能させる場合（以下、「蒸発運転状態」とする）には圧縮機２１ａの吸入側と第２熱源側熱交換器２５ａのガス側とを接続するように（図１及び図２の第２熱交切換機構２３ａの破線を参照）、熱源側冷媒回路１２ａ内における冷媒の流路を切り換えることが可能な機器であり、例えば、四路切換弁からなる。そして、第１熱交切換機構２２ａ及び第２熱交切換機構２３ａの切り換え状態を変更することによって、第１熱源側熱交換器２４ａ及び第２熱源側熱交換器２５ａは、個別に冷媒の蒸発器又は放熱器として機能させる切り換えが可能になっている。
【００３６】
主熱源側熱交換器としての第１熱源側熱交換器２４ａは、冷媒と室外空気との熱交換を行うための機器であり、例えば、多数の伝熱管及びフィンによって構成されたフィン・アンド・チューブ型熱交換器からなる。第１熱源側熱交換器２４ａは、そのガス側が第１熱交切換機構２２ａに接続され、その液側が第１熱源側流量調節弁２６ａに接続されている。また、主熱源側熱交換器としての第２熱源側熱交換器２５ａは、冷媒と室外空気との熱交換を行うための機器であり、例えば、多数の伝熱管及びフィンによって構成されたフィン・アンド・チューブ型熱交換器からなる。第２熱源側熱交換器２５ａは、そのガス側が第２熱交切換機構２３ａに接続され、その液側が第２熱源側流量調節弁２７ａに接続されている。
【００３７】
予冷熱交換器３５ａは、冷媒と室外空気との熱交換を行うための機器であり、例えば、多数の伝熱管及びフィンによって構成されたフィン・アンド・チューブ型熱交換器からなる。予冷熱交換器３５ａは、熱源側熱交換器の一部（すなわち、熱源側熱交換器のうち主熱源側熱交換器としての熱源側熱交換器２４ａ、２５ａを除いた部分）を構成しており、圧縮機２１ａから吐出される高圧のガス冷媒を常時流すように熱源側冷媒回路１２ａに設けられている。具体的には、予冷熱交換器３５ａは、主熱源側熱交換器としての熱源側熱交換器２４ａ、２５ａとは異なり、熱交切換機構２２ａ、２３ａのような冷媒の蒸発器又は放熱器として機能させる切り換えを可能にするための機構を介することなく、そのガス側が圧縮機２１ａの吐出側に接続されている。すなわち、予冷熱交換器３５ａは、主熱源側熱交換器としての熱源側熱交換器２４ａ、２５ａとは異なり、常時冷媒の放熱器として機能するようになっている。
【００３８】
ここでは、第１熱源側熱交換器２４ａと第２熱源側熱交換器２５ａと予冷熱交換器３５ａとが一体の熱源側熱交換器として構成されている。そして、熱源ユニット２ａは、ユニット内に室外空気を吸入して、熱交換した後に、ユニット外に排出するための室外ファン３４ａを有しており、室外空気と熱源側熱交換器２４ａ、２５ａ、３５ａを流れる冷媒とを熱交換させることが可能である。室外ファン３４ａは、回転数制御が可能な室外ファンモータ３４ａａによって駆動される。
【００３９】
冷媒冷却器３６ａは、予冷熱交換器３５ａにおいて放熱した冷媒と電装品２０ａａとの熱交換を行うことで電装品２０ａａを冷却する機器であり、予冷熱交換器３５ａの液側、すなわち、予冷熱交換器３５ａの下流側に接続されている。冷媒冷却器３６ａは、例えば、冷媒流路が形成された金属製の部材を電装品２０ａａに接触させることによって構成されている。ここで、電装品２０ａａは、熱源ユニット２ａを構成する各部を制御するための電気部品であり、後述の熱源側制御部２０ａを構成している。そして、冷媒冷却器３６ａによって冷却が必要な電装品２０ａａとしては、圧縮機モータ２１ａａを制御するためのインバータを構成するパワー素子やリアクタ等の高発熱電気部品が挙げられる。このような高発熱電気部品は、圧縮機２１ａの運転容量が大きくなるにつれて、発熱量が大きくなる傾向にある。尚、図１及び図２において、電装品２０ａａを熱源側制御部２０ａとは別に図示しているが、これは、冷媒冷却器３６ａの機能を説明するための便宜を考慮したものである。
【００４０】
第１熱源側流量調節弁２６ａは、第１熱源側熱交換器２４ａを流れる冷媒の流量の調節等を行うために、第１熱源側熱交換器２４ａの液側に接続された開度調節が可能な電動膨張弁である。また、第２熱源側流量調節弁２７ａは、第２熱源側熱交換器２５ａを流れる冷媒の流量の調節等を行うために、第２熱源側熱交換器２５ａの液側に接続された開度調節が可能な電動膨張弁である。すなわち、熱源側熱交換器２４ａ、２５ａ、３５ａのうち予冷熱交換器３５ａを除いた部分である主熱源側熱交換器としての熱源側熱交換器２４ａ、２５ａの液側に、各熱源側熱交換器２４ａ、２５ａを流れる冷媒の流量を調節する熱源側流量調節弁２６ａ、２７ａが接続されている。
【００４１】
冷媒冷却側流量調節弁３７ａは、予冷熱交換器３５ａ及び冷媒冷却器３６ａを流れる冷媒の流量の調節等を行うために、冷媒冷却器３６ａの下流側に接続された開度調節が可能な電動膨張弁である。そして、主熱源側熱交換器としての熱源側熱交換器２４ａ、２５ａを冷媒の放熱器として機能させる際の熱源側流量調節弁２６ａ、２７ａの下流側に、すなわち、第１熱源側熱交換器２４ａを冷媒の放熱器として機能させる際の第１熱源側流量調節弁２６ａの下流側に、かつ、第２熱源側熱交換器２５ａを冷媒の放熱器として機能させる際の第２熱源側流量調節弁２７ａの下流側に、冷媒冷却側流量調節弁３７ａの出口が接続されている。ここでは、冷媒冷却側流量調節弁３７ａの出口は、レシーバ２８ａの出口管２８ｂに合流するように接続されている。
【００４２】
レシーバ２８ａは、熱源側熱交換器２４ａ、２５ａと利用側冷媒回路１３ａ、１３ｂ、１３ｃ、１３ｄとの間を流れる冷媒を一時的に溜めるための容器である。レシーバ２８ａの上部には、レシーバ入口管２８ａａが設けられており、レシーバ２８ａの下部には、レシーバ出口管２８ｂａが設けられている。また、レシーバ入口管２８ａａには、開閉制御が可能なレシーバ入口開閉弁２８ｃａが設けられている。そして、レシーバ２８ａの入口管２８ａａ及び出口管２８ｂａは、ブリッジ回路２９ａを介して、熱源側熱交換器２４ａ、２５ａと液側閉鎖弁３１ａとの間に接続されている。
【００４３】
また、レシーバ２８ａには、レシーバガス抜き管４１ａが接続されている。レシーバガス抜き管４１ａは、レシーバ入口管２８ａａとは別にレシーバ２８ａの上部から冷媒を抜き出すように設けられており、レシーバ２８ａの上部と圧縮機２１ａの吸入側とを接続している。レシーバガス抜き管４１ａには、レシーバ２８ａからガス抜きされる冷媒の流量の調節等を行うために、ガス抜き弁としてのガス抜き側流量調節弁４２ａが設けられている。ここで、ガス抜き側流量調節弁４２ａは、開度調節が可能な電動膨張弁からなる。
【００４４】
また、レシーバ２８ａには、図３に示すように、レシーバ２８ａ内の液面がレシーバガス抜き管４１を接続した位置よりも下側の所定位置Ｌ１まで達しているかどうかを検知するためのレシーバ液面検知管４３ａが接続されている。ここで、レシーバ液面検知管４３ａは、レシーバ２８ａの上下方向の中間付近の部分から冷媒を抜き出すように設けられている。また、液面位置Ｌ１は、後述の過充填判定において、冷媒の過充填が発生しているものと判定できる液面位置に対応している。そして、レシーバ液面検知管４３ａは、キャピラリチューブ４３ａａを介してレシーバガス抜き管４１ａに合流しており、ガス抜き側流量調節弁４２ａ等を含む合流部分から下流側の部分がレシーバガス抜き管４１ａと兼用になっている。ここで、レシーバ液面検知管４３ａは、レシーバガス抜き管４１ａのガス抜き側流量調節弁４２ａが設けられている位置よりも上流側の部分に合流するように設けられている。さらに、レシーバガス抜き管４１ａには、レシーバ液面検知管４３が合流する位置よりも下流側に、レシーバガス抜き管４１ａを流れる冷媒を加熱する冷媒加熱器４４ａが設けられている。ここで、冷媒加熱器４４ａは、圧縮機２１から吐出される高圧のガス冷媒を加熱源としてレシーバガス抜き管４１ａを流れる冷媒を加熱する熱交換器である。そして、冷媒加熱器４４ａは、圧縮機２１ａから吐出された高圧のガス冷媒の一部を分岐して熱源側熱交換器２４ａ、２５ａ、３５ａの一部である予冷熱交換器３５ａに送る冷媒管とレシーバガス抜き管４１ａとを接触させることによって構成される配管熱交換器や二重管熱交換器等からなる。すなわち、冷媒加熱器４４ａは、圧縮機２１ａから吐出される高圧のガス冷媒が常時流れる予冷熱交換器３５ａの上流側に接続されている。そして、冷凍サイクル運転時において、圧縮機２１ａから吐出される高圧のガス冷媒の一部が分岐されて、冷媒加熱器４４ａ、予冷熱交換器３５ａ、冷媒冷却器３６ａ及び冷媒冷却側流量調節弁３７ａを通じて、レシーバ出口管２８ｂａに合流する流れが得られ、レシーバガス抜き管４１ａから抜き出される冷媒は、この圧縮機２１ａから吐出される高圧のガス冷媒の一部によって加熱されるようになっている。
【００４５】
ブリッジ回路２９ａは、冷媒が熱源側熱交換器２４ａ、２５ａ側から液側閉鎖弁３１ａ側に向かって流れる場合、及び、冷媒が液側閉鎖弁３１ａ側から熱源側熱交換器２４ａ、２５ａ側に向かって流れる場合のいずれにおいても、レシーバ入口管２８ａａを通じてレシーバ２８ａ内に冷媒を流入させ、レシーバ出口管２８ｂａを通じてレシーバ２８ａ内から冷媒を流出させる機能を有する回路である。ブリッジ回路２９ａは、４つの逆止弁２９ａａ、２９ｂａ、２９ｃａ、２９ｄａを有している。そして、入口逆止弁２９ａａは、熱源側熱交換器２４ａ、２５ａ側からレシーバ入口管２８ａａへの冷媒の流通のみを許容する逆止弁である。入口逆止弁２９ｂａは、液側閉鎖弁３１ａ側からレシーバ入口管２８ａａへの冷媒の流通のみを許容する逆止弁である。すなわち、入口逆止弁２９ａａ、２９ｂａは、熱源側熱交換器２４ａ、２５ａ側又は液側閉鎖弁３１ａ側からレシーバ入口管２８ａａに冷媒を流通させる機能を有している。出口逆止弁２９ｃａは、レシーバ出口管２８ｂａから液側閉鎖弁３１ａ側への冷媒の流通のみを許容する逆止弁である。出口逆止弁２９ｄａは、レシーバ出口管２８ｂａから熱源側熱交換器２４ａ、２５ａ側への冷媒の流通のみを許容する逆止弁である。すなわち、出口逆止弁２９ｃａ、２９ｄａは、レシーバ出口管２８ｂａから熱源側熱交換器２４ａ、２５ａ側又は液側閉鎖弁３１ａ側に冷媒を流通させる機能を有している。
【００４６】
高低圧切換機構３０ａは、圧縮機２１ａから吐出された高圧のガス冷媒を利用側冷媒回路１３ａ、１３ｂ、１３ｃ、１３ｄに送る場合（以下、「放熱負荷運転状態」とする）には、圧縮機２１ａの吐出側と高低圧ガス側閉鎖弁３２ａとを接続し（図１及び図２の高低圧切換機構３０ａの破線を参照）、圧縮機２１ａから吐出された高圧のガス冷媒を利用側冷媒回路１３ａ、１３ｂ、１３ｃ、１３ｄに送らない場合（以下、「蒸発負荷運転状態」とする）には、高低圧ガス側閉鎖弁３２ａと圧縮機２１ａの吸入側とを接続するように（図１及び図２の高低圧切換機構３０ａの実線を参照）、熱源側冷媒回路１２ａ内における冷媒の流路を切り換えることが可能な機器であり、例えば、四路切換弁からなる。
【００４７】
液側閉鎖弁３１ａ、高低圧ガス側閉鎖弁３２ａ及び低圧ガス側閉鎖弁３３ａは、外部の機器・配管（具体的には、冷媒連絡管７、８及び９）との接続口に設けられた弁である。液側閉鎖弁３１ａは、ブリッジ回路２９ａを介してレシーバ入口管２８ａａ又はレシーバ出口管２８ｂａに接続されている。高低圧ガス側閉鎖弁３２ａは、高低圧切換機構３０ａに接続されている。低圧ガス側閉鎖弁３３ａは、圧縮機２１ａの吸入側に接続されている。
【００４８】
また、熱源ユニット２ａには、各種のセンサが設けられている。具体的には、圧縮機２１ａの吸入側における冷媒の圧力を検出する吸入圧力センサ７１ａと、圧縮機２１ａの吐出側における冷媒の圧力を検出する吐出圧力センサ７３ａと、レシーバ２８ａと熱源側熱交換器２４ａ、２５ａとの間を流れる冷媒の温度を検出する第１液管温度センサ７４と、レシーバガス抜き管４１ａを流れる冷媒の温度を検出するガス抜き側温度センサ７５ａと、レシーバ２８ａと液側閉鎖弁３１ａとの間の冷媒の温度を検出する第２液管温度センサ８０とが設けられている。ここでは、ガス抜き側温度センサ７５は、冷媒加熱器４４の出口における冷媒の温度を検出するようにレシーバガス抜き管４１に設けられている。また、熱源ユニット２ａは、熱源ユニット２ａを構成する各部２１ａａ、２２ａ、２３ａ、２６ａ、２７ａ、２８ｃａ、３０ａ、３４ａａ、３７ａ、４２ａの動作を制御する熱源側制御部２０ａを有している。そして、熱源側制御部２０ａは、熱源ユニット２ａの制御を行うために設けられたマイクロコンピュータやメモリを有しており、利用ユニット３ａ、３ｂ、３ｃ、３ｄの利用側制御部５０ａ、５０ｂ、５０ｃ、５０ｄとの間で制御信号等のやりとりを行うことができるようになっている。
【００４９】
＜接続ユニット＞
接続ユニット４ａ、４ｂ、４ｃ、４ｄは、ビル等の室内に利用ユニット３ａ、３ｂ、３ｃ、３ｄとともに設置されている。接続ユニット４ａ、４ｂ、４ｃ、４ｄは、冷媒連絡管９、１０、１１とともに、利用ユニット３、４、５と熱源ユニット２ａ、２ｂとの間に介在しており、冷媒回路１０の一部を構成している。
【００５０】
次に、接続ユニット４ａ、４ｂ、４ｃ、４ｄの構成について説明する。尚、接続ユニット４ａと接続ユニット４ｂ、４ｃ、４ｄとは同様の構成であるため、ここでは、接続ユニット４ａの構成のみ説明し、接続ユニット４ｂ、４ｃ、４ｄの構成については、それぞれ、接続ユニット４ａの各部を示す符号の添字「ａ」の代わりに、「ｂ」、「ｃ」又は「ｄ」の添字を付して、各部の説明を省略する。
【００５１】
接続ユニット４ａは、主として、冷媒回路１０の一部を構成しており、接続側冷媒回路１４ａ（接続ユニット４ｂ、４ｃ、４ｄでは、それぞれ、接続側冷媒回路１４ｂ、１４ｃ、１４ｄ）を有している。接続側冷媒回路１４ａは、主として、液接続管６１ａと、ガス接続管６２ａとを有している。
【００５２】
液接続管６１ａは、液冷媒連絡管７と利用側冷媒回路１３ａの利用側流量調節弁５１ａとを接続している。
【００５３】
ガス接続管６２ａは、高低圧ガス冷媒連絡管８に接続された高圧ガス接続管６３ａと、低圧ガス冷媒連絡管９に接続された低圧ガス接続管６４ａと、高圧ガス接続管６３ａと低圧ガス接続管６４ａとを合流させる合流ガス接続管６５ａとを有している。合流ガス接続管６５ａは、利用側冷媒回路１３ａの利用側熱交換器５２ａのガス側に接続されている。高圧ガス接続管６３ａには、開閉制御が可能な高圧ガス開閉弁６６ａが設けられており、低圧ガス接続管６４ａには、開閉制御が可能な低圧ガス開閉弁６７ａが設けられている。
【００５４】
そして、接続ユニット４ａは、利用ユニット３ａが冷房運転を行う際には、低圧ガス開閉弁６７ａを開けた状態にして、液冷媒連絡管７を通じて液接続管６１ａに流入する冷媒を利用側冷媒回路１３ａの利用側流量調節弁５１ａを通じて利用側熱交換器５２ａに送り、利用側熱交換器５２ａにおいて室内空気との熱交換によって蒸発した冷媒を、合流ガス接続管６５ａ及び低圧ガス接続管６４ａを通じて、低圧ガス冷媒連絡管９に戻すように機能することができる。また、接続ユニット４ａは、利用ユニット３ａが暖房運転を行う際には、低圧ガス開閉弁６７ａを閉止し、かつ、高圧ガス開閉弁６６ａを開けた状態にして、高低圧ガス冷媒連絡管８を通じて高圧ガス接続管６３ａ及び合流ガス接続管６５ａに流入する冷媒を利用側冷媒回路１３ａの利用側熱交換器５２ａに送り、利用側熱交換器５２ａにおいて室内空気との熱交換によって放熱した冷媒を、利用側流量調節弁５１ａ及び液接続管６１ａを通じて、液冷媒連絡管７に戻すように機能することができる。この機能は、接続ユニット４ａだけでなく、接続ユニット４ｂ、４ｃ、４ｄも同様に有しているため、接続ユニット４ａ、４ｂ、４ｃ、４ｄによって、利用側熱交換器５２ａ、５２ｂ、５２ｃ、５２ｄは、個別に冷媒の蒸発器又は放熱器として機能させる切り換えが可能になっている。
【００５５】
また、接続ユニット４ａは、接続ユニット４ａを構成する各部６６ａ、６７ａの動作を制御する接続側制御部６０ａを有している。そして、接続側制御部６０ａは、接続ユニット６０ａの制御を行うために設けられたマイクロコンピュータやメモリを有しており、利用ユニット３ａの利用側制御部５０ａとの間で制御信号等のやりとりを行うことができるようになっている。
【００５６】
以上のように、利用側冷媒回路１３ａ、１３ｂ、１３ｃ、１３ｄと、熱源側冷媒回路１２ａ、１２ｂと、冷媒連絡管７、８、９と、接続側冷媒回路１４ａ、１４ｂ、１４ｃ、１４ｄとが接続されて、冷暖同時運転型空気調和装置１の冷媒回路１０が構成されている。そして、冷暖同時運転型空気調和装置１では、圧縮機２１ａ、２１ｂと熱源側熱交換器２４ａ、２５ａ、２４ｂ、２５ｂとレシーバ２８ａ、２８ｂとを有する複数（ここでは、２つ）の熱源ユニット２ａ、２ｂと、利用側熱交換器５２ａ、５２ｂ、５２ｃ、５２ｄを有する利用ユニット３ａ、３ｂ、３ｃ、３ｄとが接続されることによって構成されている。そして、ここでは、各熱源ユニット２ａ、２ｂのレシーバ２８ａ、２８ｂには、レシーバ２８ａ、２８ｂ内の液面が所定位置Ｌ１まで達しているかどうかを検知するためのレシーバ液面検知管４３ａ、４３ｂを接続し、各レシーバ液面検知管４３ａ、４３ｂには、開閉可能なガス抜き弁としてのガス抜き側流量調節弁４２ａ、４２ｂを設けている。
【００５７】
（２）冷凍装置（冷暖同時運転型空気調和装置）の動作
次に、冷暖同時運転型空気調和装置１の動作について説明する。
【００５８】
冷暖同時運転型空気調和装置１の運転モードは、大まかには、利用側熱交換器５２ａ、５２ｂ、５２ｃ、５２ｄから要求される熱負荷に応じた冷凍サイクル運転である通常運転モードと、装置の据え付け後やメンテナンス後の最初に行う冷凍サイクル運転を含む試運転モードとに分けることができる。
【００５９】
そして、通常運転モードとしては、冷房運転と、暖房運転と、冷暖同時運転（蒸発負荷主体）と、冷暖同時運転（放熱負荷主体）とがある。ここで、冷房運転は、冷房運転（すなわち、利用側熱交換器が冷媒の蒸発器として機能する運転）を行う利用ユニットだけが存在し、利用ユニット全体の蒸発負荷に対して熱源側熱交換器２４ａ、２５ａ、２４ｂ、２５ｂを冷媒の放熱器として機能させる運転である。暖房運転は、暖房運転（すなわち、利用側熱交換器が冷媒の放熱器として機能する運転）を行う利用ユニットだけが存在し、利用ユニット全体の放熱負荷に対して熱源側熱交換器２４ａ、２５ａ、２４ｂ、２５ｂを冷媒の蒸発器として機能させる運転である。冷暖同時運転（蒸発負荷主体）は、冷房運転（すなわち、利用側熱交換器が冷媒の蒸発器として機能する運転）を行う利用ユニットと暖房運転（すなわち、利用側熱交換器が冷媒の放熱器として機能する運転）を行う利用ユニットとが混在し、利用ユニット全体の熱負荷が蒸発負荷主体である場合に、この利用ユニット全体の蒸発負荷に対して第１熱源側熱交換器２４ａ、２４ｂを冷媒の放熱器として機能させる運転である。冷暖同時運転（放熱負荷主体）は、冷房運転（すなわち、利用側熱交換器が冷媒の蒸発器として機能する運転）を行う利用ユニットと暖房運転（すなわち、利用側熱交換器が冷媒の放熱器として機能する運転）を行う利用ユニットとが混在し、利用ユニット全体の熱負荷が放熱負荷主体である場合に、この利用ユニット全体の放熱負荷に対して熱源側熱交換器２４ａ、２５ａ、２４ｂ、２５ｂを冷媒の蒸発器として機能させる運転である。
【００６０】
また、試運転モードには、過充填検知運転がある。ここで、過充填検知運転は、冷媒回路１０に冷媒が過充填されているかどうかを判定するための冷凍サイクル運転であり、この過充填検知運転時に、冷媒回路１０に冷媒が過充填されているかどうかを判定する。
【００６１】
尚、これらの運転モードを含む冷暖同時運転型空気調和装置１の動作は、上記の制御部２０ａ、２０ｂ、５０ａ、５０ｂ、５０ｃ、５０ｄ、６０ａ、６０ｂ、６０ｃ、６０ｄによって行われる。
【００６２】
＜通常運転モード＞
−冷房運転−
通常運転モードの冷房運転の際、例えば、利用ユニット３ａ、３ｂ、３ｃ、３ｄの全てが冷房運転（すなわち、利用側熱交換器５２ａ、５２ｂ、５２ｃ、５２ｄの全てが冷媒の蒸発器として機能する運転）を行い、熱源側熱交換器２４、２５が冷媒の放熱器として機能する際、空気調和装置１の冷媒回路１０は、図４に示されるように構成される（冷媒の流れについては、図４の冷媒回路１０に付された矢印を参照）。
【００６３】
具体的には、熱源ユニット２ａ、２ｂにおいては、第１熱交切換機構２２ａ、２２ｂを放熱運転状態（図２及び図４の第１熱交切換機構２２ａ、２２ｂの実線で示された状態）に切り換え、第２熱交切換機構２３ａ、２３ｂを放熱運転状態（図２及び図４の第２熱交切換機構２３ａ、２３ｂの実線で示された状態）に切り換えることによって、熱源側熱交換器２４ａ、２５ａ、２４ｂ、２５ｂを冷媒の放熱器として機能させるようになっている。また、高低圧切換機構３０ａ、３０ｂを蒸発負荷運転状態（図２及び図４の高低圧切換機構３０ａ、３０ｂの実線で示された状態）に切り換えている。また、熱源側流量調節弁２６ａ、２７ａ、２６ｂ、２７ｂは、開度調節され、レシーバ入口開閉弁２８ｃａ、２８ｃｂは、開状態になっている。また、冷媒冷却側流量調節弁３７ａ、３７ｂは、開度調節されて、予冷熱交換器３５ａ、３５ｂに圧縮機２１ａ、２１ｂから吐出される高圧のガス冷媒が流れるようになっている。また、ガス抜き弁としてのガス抜き側流量調節弁４２ａ、４２ｂは、必要に応じて開度調節されるが、基本的には全閉状態になっている（このため、図４においても冷媒の流れを図示しない）。接続ユニット４ａ、４ｂ、４ｃ、４ｄにおいては、高圧ガス開閉弁６６ａ、６６ｂ、６６ｃ、６６ｄ、及び、低圧ガス開閉弁６７ａ、６７ｂ、６７ｃ、６７ｄを開状態にすることによって、利用ユニット３ａ、３ｂ、３ｃ、３ｄの利用側熱交換器５２ａ、５２ｂ、５２ｃ、５２ｄの全てを冷媒の蒸発器として機能させるとともに、利用ユニット３ａ、３ｂ、３ｃ、３ｄの利用側熱交換器５２ａ、５２ｂ、５２ｃ、５２ｄの全てと熱源ユニット２の圧縮機２１の吸入側とが高低圧ガス冷媒連絡管８及び低圧ガス冷媒連絡管９を介して接続された状態になっている。利用ユニット３ａ、３ｂ、３ｃ、３ｄにおいては、利用側流量調節弁５１ａ、５１ｂ、５１ｃ、５１ｄは、開度調節されている。
【００６４】
このような冷媒回路１０において、圧縮機２１ａ、２１ｂで圧縮され吐出された高圧のガス冷媒は、熱交切換機構２２ａ、２３ａ、２２ｂ、２３ｂを通じて、主熱源側熱交換器としての熱源側熱交換器２４ａ、２５ａ、２４ｂ、２５ｂに送られる。また、圧縮機２１ａ、２１ｂで圧縮され吐出された高圧のガス冷媒は、冷媒加熱器４４ａ、４４ｂを介して、予冷熱交換器３５ａ、３５ｂにも送られる。そして、熱源側熱交換器２４ａ、２５ａ、２４ｂ、２５ｂに送られた高圧のガス冷媒は、熱源側熱交換器２４ａ、２５ａ、２４ｂ、２５ｂにおいて、室外ファン３４ａ、３４ｂによって供給される熱源としての室外空気と熱交換を行うことによって放熱する。そして、熱源側熱交換器２４ａ、２５ａ、２４ｂ、２５ｂにおいて放熱した冷媒は、熱源側流量調節弁２６ａ、２７ａ、２６ｂ、２７ｂにおいて流量調節された後、合流して、入口逆止弁２９ａａ、２９ａｂ及びレシーバ入口開閉弁２８ｃａ、２８ｃｂを通じて、レシーバ２８ａ、２８ｂに送られる。また、予冷熱交換器３５ａ、３５ｂに送られた高圧のガス冷媒も、予冷熱交換器３５ａ、３５ｂにおいて、室外ファン３４ａ、３４ｂによって供給される熱源としての室外空気と熱交換を行うことによって放熱する。そして、予冷熱交換器３５ａ、３５ｂにおいて放熱した冷媒は、冷媒冷却器３６ａ、３６ｂに送られて、電装品２０ａａ、２０ａｂを冷却する。冷媒冷却器３６ａ、３６ｂを通過した冷媒は、冷媒冷却側流量調節弁３７ａ、３７ｂにおいて流量調節された後、レシーバ出口管２８ｂａ、２８ｂｂに送られる。そして、レシーバ２８ａ、２８ｂに送られた冷媒は、レシーバ２８ａ、２８ｂ内に一時的に溜められた後、レシーバ出口管２８ｂａ、２８ｂｂに送られ、出口逆止弁２９ｃａ、２９ｃｂ及び液側閉鎖弁３１ａ、３１ｂを通じて、液冷媒連絡管７に送られて合流する。
【００６５】
そして、液冷媒連絡管７に送られて合流した冷媒は、４つに分岐されて、各接続ユニット４ａ、４ｂ、４ｃ、４ｄの液接続管６１ａ、６１ｂ、６１ｃ、６１ｄに送られる。そして、液接続管６１ａ、６１ｂ、６１ｃ、６１ｄに送られた冷媒は、利用ユニット３ａ、３ｂ、３ｃ、３ｄの利用側流量調節弁５１ａ、５１ｂ、５１ｃ、５１ｄに送られる。
【００６６】
そして、利用側流量調節弁５１ａ、５１ｂ、５１ｃ、５１ｄに送られた冷媒は、利用側流量調節弁５１ａ、５１ｂ、５１ｃ、５１ｄにおいて流量調節された後、利用側熱交換器５２ａ、５２ｂ、５２ｃ、５２ｄにおいて、室内ファン５３ａ、５３ｂ、５３ｃ、５３ｄによって供給される室内空気と熱交換を行うことによって蒸発して低圧のガス冷媒となる。一方、室内空気は、冷却されて室内に供給されて、利用ユニット３ａ、３ｂ、３ｃ、３ｄの冷房運転が行われる。そして、低圧のガス冷媒は、接続ユニット４ａ、４ｂ、４ｃ、４ｄの合流ガス接続管６５ａ、６５ｂ、６５ｃ、６５ｄに送られる。
【００６７】
そして、合流ガス接続管６５ａ、６５ｂ、６５ｃ、６５ｄに送られた低圧のガス冷媒は、高圧ガス開閉弁６６ａ、６６ｂ、６６ｃ、６６ｄ及び高圧ガス接続管６３ａ、６３ｂ、６３ｃ、６３ｄを通じて、高低圧ガス冷媒連絡管８に送られて合流するとともに、低圧ガス開閉弁６７ａ、６７ｂ、６７ｃ、６７ｄ及び低圧ガス接続管６４ａ、６４ｂ、６４ｃ、６４ｄを通じて、低圧ガス冷媒連絡管９に送られて合流する。
【００６８】
そして、ガス冷媒連絡管８、９に送られた低圧のガス冷媒は、２つに分岐されて、ガス側閉鎖弁３２ａ、３２ｂ、３３ａ、３３ｂ及び高低圧切換機構３０ａ、３０ｂを通じて、圧縮機２１ａ、２１ｂの吸入側に戻される。
【００６９】
このようにして、冷房運転における動作が行われる。尚、利用ユニット３ａ、３ｂ、３ｃ、３ｄのいくつかが冷房運転（すなわち、利用側熱交換器５２ａ、５２ｂ、５２ｃ、５２ｄのいくつかが冷媒の蒸発器として機能する運転）を行う等によって、利用側熱交換器５２ａ、５２ｂ、５２ｃ、５２ｄ全体の蒸発負荷が小さくなる場合には、熱源側熱交換器２４、２５の一方（例えば、第１熱源側熱交換器２４ａ、２４ｂ）だけを冷媒の放熱器として機能させる運転が行われる。
【００７０】
−暖房運転−
通常運転モードの暖房運転の際、例えば、利用ユニット３ａ、３ｂ、３ｃ、３ｄの全てが暖房運転（すなわち、利用側熱交換器５２ａ、５２ｂ、５２ｃ、５２ｄの全てが冷媒の放熱器として機能する運転）を行い、熱源側熱交換器２４ａ、２５ａ、２４ｂ、２５ｂが冷媒の蒸発器として機能する際、空気調和装置１の冷媒回路１０は、図５に示されるように構成される（冷媒の流れについては、図５の冷媒回路１０に付された矢印を参照）。
【００７１】
具体的には、熱源ユニット２ａ、２ｂにおいては、第１熱交切換機構２２ａ、２２ｂを蒸発運転状態（図２及び図５の第１熱交切換機構２２ａ、２２ｂの破線で示された状態）に切り換え、第２熱交切換機構２３ａ、２３ｂを蒸発運転状態（図２及び図５の第２熱交切換機構２３ａ、２３ｂの破線で示された状態）に切り換えることによって、熱源側熱交換器２４ａ、２５ａ、２４ｂ、２５ｂを冷媒の蒸発器として機能させるようになっている。また、高低圧切換機構３０ａ、３０ｂを放熱負荷運転状態（図２及び図５の高低圧切換機構３０ａ、３０ｂの破線で示された状態）に切り換えている。また、熱源側流量調節弁２６ａ、２７ａ、２６ｂ、２７ｂは、開度調節され、レシーバ入口開閉弁２８ｃａ、２８ｃｂは、開状態になっている。また、冷媒冷却側流量調節弁３７ａ、３７ｂは、開度調節されて、予冷熱交換器３５ａ、３５ｂに圧縮機２１ａ、２１ｂから吐出される高圧のガス冷媒が流れるようになっている。また、ガス抜き弁としてのガス抜き側流量調節弁４２ａ、４２ｂは、必要に応じて開度調節されるが、基本的には全閉状態になっている（このため、図５においても冷媒の流れを図示しない）。接続ユニット４ａ、４ｂ、４ｃ、４ｄにおいては、高圧ガス開閉弁６６ａ、６６ｂ、６６ｃ、６６ｄを開状態にし、低圧ガス開閉弁６７ａ、６７ｂ、６７ｃ、６７ｄを閉状態にすることによって、利用ユニット３ａ、３ｂ、３ｃ、３ｄの利用側熱交換器５２ａ、５２ｂ、５２ｃ、５２ｄの全てを冷媒の放熱器として機能させるとともに、利用ユニット３ａ、３ｂ、３ｃ、３ｄの利用側熱交換器５２ａ、５２ｂ、５２ｃ、５２ｄの全てと熱源ユニット２の圧縮機２１の吐出側とが高低圧ガス冷媒連絡管８を介して接続された状態になっている。利用ユニット３ａ、３ｂ、３ｃ、３ｄにおいては、利用側流量調節弁５１ａ、５１ｂ、５１ｃ、５１ｄは、開度調節されている。
【００７２】
このような冷媒回路１０において、圧縮機２１ａ、２１ｂで圧縮され吐出された高圧のガス冷媒は、高低圧切換機構３０ａ、３０ｂ及び高低圧ガス側閉鎖弁３２ａ、３２ｂを通じて、高低圧ガス冷媒連絡管８に送られて合流する。また、圧縮機２１ａ、２１ｂで圧縮され吐出された高圧のガス冷媒は、冷媒加熱器４４ａ、４４ｂを介して、予冷熱交換器３５ａ、３５ｂにも送られる。そして、予冷熱交換器３５ａ、３５ｂに送られた高圧のガス冷媒は、予冷熱交換器３５ａ、３５ｂにおいて、室外ファン３４ａ、３４ｂによって供給される熱源としての室外空気と熱交換を行うことによって放熱する。そして、予冷熱交換器３５ａ、３５ｂにおいて放熱した冷媒は、冷媒冷却器３６ａ、３６ｂに送られて、電装品２０ａａ、２０ａｂを冷却する。冷媒冷却器３６ａ、３６ｂを通過した冷媒は、冷媒冷却側流量調節弁３７ａ、３７ｂにおいて流量調節された後、レシーバ出口管２８ｂａ、２８ｂｂに送られる。
【００７３】
そして、高低圧ガス冷媒連絡管８に送られて合流した高圧のガス冷媒は、４つに分岐されて、各接続ユニット４ａ、４ｂ、４ｃ、４ｄの高圧ガス接続管６３ａ、６３ｂ、６３ｃ、６３ｄに送られる。高圧ガス接続管６３ａ、６３ｂ、６３ｃ、６３ｄに送られた高圧のガス冷媒は、高圧ガス開閉弁６６ａ、６６ｂ、６６ｃ、６６ｄ及び合流ガス接続管６５ａ、６５ｂ、６５ｃ、６５ｄを通じて、利用ユニット３ａ、３ｂ、３ｃ、３ｄの利用側熱交換器５２ａ、５２ｂ、５２ｃ、５２ｄに送られる。
【００７４】
そして、利用側熱交換器５２ａ、５２ｂ、５２ｃ、５２ｄに送られた高圧のガス冷媒は、利用側熱交換器５２ａ、５２ｂ、５２ｃ、５２ｄにおいて、室内ファン５３ａ、５３ｂ、５３ｃ、５３ｄによって供給される室内空気と熱交換を行うことによって放熱する。一方、室内空気は、加熱されて室内に供給されて、利用ユニット３ａ、３ｂ、３ｃ、３ｄの暖房運転が行われる。利用側熱交換器５２ａ、５２ｂ、５２ｃ、５２ｄにおいて放熱した冷媒は、利用側流量調節弁５１ａ、５１ｂ、５１ｃ、５１ｄにおいて流量調節された後、接続ユニット４ａ、４ｂ、４ｃ、４ｄの液接続管６１ａ、６１ｂ、６１ｃ、６１ｄに送られる。
【００７５】
そして、液接続管６１ａ、６１ｂ、６１ｃ、６１ｄに送られた冷媒は、液冷媒連絡管７に送られて合流する。
【００７６】
そして、液冷媒連絡管７に送られて合流した冷媒は、２つに分岐されて、液側閉鎖弁３１ａ、３１ｂ、入口逆止弁２９ｂａ、２９ｂｂ及びレシーバ入口開閉弁２８ｃａ、２８ｃｂを通じて、レシーバ２８ａ、２８ｂに送られる。そして、レシーバ２８ａ、２８ｂに送られた冷媒は、レシーバ２８ａ、２８ｂ内に一時的に溜められた後、レシーバ出口管２８ｂａ、２８ｂｂに送られ、出口逆止弁２９ｄａ、２９ｄｂを通じて、熱源側流量調節弁２６ａ、２７ａ、２６ｂ、２７ｂの両方に送られる。そして、熱源側流量調節弁２６ａ、２７ａ、２６ｂ、２７ｂに送られた冷媒は、熱源側流量調節弁２６ａ、２７ａ、２６ｂ、２７ｂにおいて流量調節された後、熱源側熱交換器２４ａ、２５ａ、２４ｂ、２５ｂにおいて、室外ファン３４ａ、３４ｂによって供給される室外空気と熱交換を行うことによって蒸発して低圧のガス冷媒になり、熱交切換機構２２ａ、２３ａ、２２ｂ、２３ｂに送られる。そして、熱交切換機構２２ａ、２３ａ、２２ｂ、２３ｂに送られた低圧のガス冷媒は、合流して、圧縮機２１ａ、２１ｂの吸入側に戻される。
【００７７】
このようにして、暖房運転における動作が行われる。尚、利用ユニット３ａ、３ｂ、３ｃ、３ｄのいくつかが暖房運転（すなわち、利用側熱交換器５２ａ、５２ｂ、５２ｃ、５２ｄのいくつかが冷媒の放熱器として機能する運転）を行う等によって、利用側熱交換器５２ａ、５２ｂ、５２ｃ、５２ｄ全体の放熱負荷が小さくなる場合には、熱源側熱交換器２４、２５の一方（例えば、第１熱源側熱交換器２４ａ、２４ｂ）だけを冷媒の蒸発器として機能させる運転が行われる。
【００７８】
−冷暖同時運転（蒸発負荷主体）−
通常運転モードの冷暖同時運転（蒸発負荷主体）の際、例えば、利用ユニット３ａ、３ｂ、３ｃが冷房運転し、かつ、利用ユニット３ｄが暖房運転し（すなわち、利用側熱交換器５２ａ、５２ｂ、５２ｃが冷媒の蒸発器として機能し、かつ、利用側熱交換器５２ｄが冷媒の放熱器として機能する運転）を行い、第１熱源側熱交換器２４ａ、２４ｂが冷媒の放熱器として機能する際、空気調和装置１の冷媒回路１０は、図６に示されるように構成される（冷媒の流れについては、図６の冷媒回路１０に付された矢印を参照）。
【００７９】
具体的には、熱源ユニット２ａ、２ｂにおいては、第１熱交切換機構２２ａ、２２ｂを放熱運転状態（図２及び図６の第１熱交切換機構２２ａ、２２ｂの実線で示された状態）に切り換えることによって、第１熱源側熱交換器２４ａ、２４ｂを冷媒の放熱器として機能させるようになっている。また、高低圧切換機構３０ａ、３０ｂを放熱負荷運転状態（図２及び図６の高低圧切換機構３０ａ、３０ｂの破線で示された状態）に切り換えている。また、第１熱源側流量調節弁２６ａ、２６ｂは、開度調節され、第２熱源側流量調節弁２７ａ、２７ｂは、閉状態になっており、レシーバ入口開閉弁２８ｃａ、２８ｃｂは、開状態になっている。また、冷媒冷却側流量調節弁３７ａ、３７ｂは、開度調節されて、予冷熱交換器３５ａ、３５ｂに圧縮機２１ａ、２１ｂから吐出される高圧のガス冷媒が流れるようになっている。また、ガス抜き弁としてのガス抜き側流量調節弁４２ａ、４２ｂは、必要に応じて開度調節されるが、基本的には全閉状態になっている（このため、図４においても冷媒の流れを図示しない）。接続ユニット４ａ、４ｂ、４ｃ、４ｄにおいては、高圧ガス開閉弁６６ｄ、及び、低圧ガス開閉弁６７ａ、６７ｂ、６７ｃを開状態にし、かつ、高圧ガス開閉弁６６ａ、６６ｂ、６６ｃ、及び、低圧ガス開閉弁６７ｄを閉状態にすることによって、利用ユニット３ａ、３ｂ、３ｃの利用側熱交換器５２ａ、５２ｂ、５２ｃを冷媒の蒸発器として機能させ、かつ、利用ユニット３ｄの利用側熱交換器５２ｄを冷媒の放熱器として機能させるとともに、利用ユニット３ａ、３ｂ、３ｃの利用側熱交換器５２ａ、５２ｂ、５２ｃと熱源ユニット２の圧縮機２１の吸入側とが低圧ガス冷媒連絡管９を介して接続された状態になり、かつ、利用ユニット３ｄの利用側熱交換器５２ｄと熱源ユニット２の圧縮機２１の吐出側とが高低圧ガス冷媒連絡管８を介して接続された状態になっている。利用ユニット３ａ、３ｂ、３ｃ、３ｄにおいては、利用側流量調節弁５１ａ、５１ｂ、５１ｃ、５１ｄは、開度調節されている。
【００８０】
このような冷媒回路１０において、圧縮機２１ａ、２１ｂで圧縮され吐出された高圧のガス冷媒は、その一部が、高低圧切換機構３０ａ、３０ｂ及び高低圧ガス側閉鎖弁３２ａ、３２ｂを通じて、高低圧ガス冷媒連絡管８に送られて合流し、残りが、第１熱交切換機構２２ａ、２２ｂを通じて、第１熱源側熱交換器２４ａ、２４ｂに送られる。また、圧縮機２１ａ、２１ｂで圧縮され吐出された高圧のガス冷媒は、冷媒加熱器４４ａ、４４ｂを介して、予冷熱交換器３５ａ、３５ｂにも送られる。
【００８１】
そして、高低圧ガス冷媒連絡管８に送られて合流した高圧のガス冷媒は、接続ユニット４ｄの高圧ガス接続管６３ｄに送られる。高圧ガス接続管６３ｄに送られた高圧のガス冷媒は、高圧ガス開閉弁６６ｄ及び合流ガス接続管６５ｄを通じて、利用ユニット３ｄの利用側熱交換器５２ｄに送られる。
【００８２】
そして、利用側熱交換器５２ｄに送られた高圧のガス冷媒は、利用側熱交換器５２ｄにおいて、室内ファン５３ｄによって供給される室内空気と熱交換を行うことによって放熱する。一方、室内空気は、加熱されて室内に供給されて、利用ユニット３ｄの暖房運転が行われる。利用側熱交換器５２ｄにおいて放熱した冷媒は、利用側流量調節弁５１ｄにおいて流量調節された後、接続ユニット４ｄの液接続管６１ｄに送られる。
【００８３】
また、第１熱源側熱交換器２４ａ、２４ｂに送られた高圧のガス冷媒は、第１熱源側熱交換器２４ａ、２４ｂにおいて、室外ファン３４ａ、３４ｂによって供給される熱源としての室外空気と熱交換を行うことによって放熱する。そして、第１熱源側熱交換器２４ａ、２４ｂにおいて放熱した冷媒は、第１熱源側流量調節弁２６ａ、２６ｂにおいて流量調節された後、入口逆止弁２９ａａ、２９ａｂ及びレシーバ入口開閉弁２８ｃａ、２８ｃｂを通じて、レシーバ２８ａ、２８ｂに送られる。また、予冷熱交換器３５ａ、３５ｂに送られた高圧のガス冷媒も、予冷熱交換器３５ａ、３５ｂにおいて、室外ファン３４ａ、３４ｂによって供給される熱源としての室外空気と熱交換を行うことによって放熱する。そして、予冷熱交換器３５ａ、３５ｂにおいて放熱した冷媒は、冷媒冷却器３６ａ、３６ｂに送られて、電装品２０ａａ、２０ａｂを冷却する。冷媒冷却器３６ａ、３６ｂを通過した冷媒は、冷媒冷却側流量調節弁３７ａ、３７ｂにおいて流量調節された後、レシーバ出口管２８ｂａ、２８ｂｂに送られる。そして、レシーバ２８ａ、２８ｂに送られた冷媒は、レシーバ２８ａ、２８ｂ内に一時的に溜められた後、レシーバ出口管２８ｂａ、２８ｂｂに送られ、出口逆止弁２９ｃａ、２９ｃｂ及び液側閉鎖弁３１ａ、３１ｂを通じて、液冷媒連絡管７に送られて合流する。
【００８４】
そして、利用側熱交換器５２ｄにおいて放熱して液接続管６１ｄに送られた冷媒は、液冷媒連絡管７に送られて、第１熱源側熱交換器２４ａ、２４ｂにおいて放熱して液冷媒連絡管７に送られて合流した冷媒とさらに合流する。
【００８５】
そして、液冷媒連絡管７において合流した冷媒は、３つに分岐されて、各接続ユニット４ａ、４ｂ、４ｃの液接続管６１ａ、６１ｂ、６１ｃに送られる。そして、液接続管６１ａ、６１ｂ、６１ｃに送られた冷媒は、利用ユニット３ａ、３ｂ、３ｃの利用側流量調節弁５１ａ、５１ｂ、５１ｃに送られる。
【００８６】
そして、利用側流量調節弁５１ａ、５１ｂ、５１ｃに送られた冷媒は、利用側流量調節弁５１ａ、５１ｂ、５１ｃにおいて流量調節された後、利用側熱交換器５２ａ、５２ｂ、５２ｃにおいて、室内ファン５３ａ、５３ｂ、５３ｃによって供給される室内空気と熱交換を行うことによって蒸発して低圧のガス冷媒となる。一方、室内空気は、冷却されて室内に供給されて、利用ユニット３ａ、３ｂ、３ｃの冷房運転が行われる。そして、低圧のガス冷媒は、接続ユニット４ａ、４ｂ、４ｃの合流ガス接続管６５ａ、６５ｂ、６５ｃに送られる。
【００８７】
そして、合流ガス接続管６５ａ、６５ｂ、６５ｃに送られた低圧のガス冷媒は、低圧ガス開閉弁６７ａ、６７ｂ、６７ｃ及び低圧ガス接続管６４ａ、６４ｂ、６４ｃを通じて、低圧ガス冷媒連絡管９に送られて合流する。
【００８８】
そして、低圧ガス冷媒連絡管９に送られた低圧のガス冷媒は、２つに分岐されて、ガス側閉鎖弁３３ａ、３３ｂを通じて、圧縮機２１ａ、２１ｂの吸入側に戻される。
【００８９】
このようにして、冷暖同時運転（蒸発負荷主体）における動作が行われる。尚、冷房運転を行う利用ユニット（すなわち、冷媒の蒸発器として機能する利用側熱交換器）の数が少なくなる等によって、利用側熱交換器５２ａ、５２ｂ、５２ｃ、５２ｄ全体の蒸発負荷が小さくなる場合には、第２熱源側熱交換器２５を冷媒の蒸発器として機能させることで、第１熱源側熱交換器２４ａ、２４ｂの放熱負荷と第２熱源側熱交換器２５ａ、２５ｂとの蒸発負荷とを相殺して熱源側熱交換器２４ａ、２５ａ、２４ｂ、２５ｂ全体の放熱負荷を小さくする運転が行われる。
【００９０】
＜冷暖同時運転モード（放熱負荷主体）＞
通常運転モードの冷暖同時運転（蒸発負荷主体）の際、例えば、利用ユニット３ａ、３ｂ、３ｃが暖房運転し、かつ、利用ユニット３ｄが冷房運転し（すなわち、利用側熱交換器５２ａ、５２ｂ、５２ｃが冷媒の放熱器として機能し、かつ、利用側熱交換器５２ｄが冷媒の蒸発器として機能する運転）を行い、熱源側熱交換器２４ａ、２５ａ、２４ｂ、２５ｂが冷媒の蒸発器として機能する際、空気調和装置１の冷媒回路１０は、図７に示されるように構成される（冷媒の流れについては、図７の冷媒回路１０に付された矢印を参照）。
【００９１】
具体的には、熱源ユニット２ａ、２ｂにおいては、第１熱交切換機構２２ａ、２２ｂを蒸発運転状態（図２及び図７の第１熱交切換機構２２ａ、２２ｂの破線で示された状態）に切り換え、第２熱交切換機構２３ａ、２３ｂを蒸発運転状態（図２及び図７の第２熱交切換機構２３ａ、２３ｂの破線で示された状態）に切り換えることによって、熱源側熱交換器２４ａ、２５ａ、２４ｂ、２５ｂを冷媒の蒸発器として機能させるようになっている。また、高低圧切換機構３０ａ、３０ｂを放熱負荷運転状態（図２及び図７の高低圧切換機構３０ａ、３０ｂの破線で示された状態）に切り換えている。また、熱源側流量調節弁２６ａ、２７ａ、２６ｂ、２７ｂは、開度調節され、レシーバ入口開閉弁２８ｃａ、２８ｃｂは、開状態になっている。また、冷媒冷却側流量調節弁３７ａ、３７ｂは、開度調節されて、予冷熱交換器３５ａ、３５ｂに圧縮機２１ａ、２１ｂから吐出される高圧のガス冷媒が流れるようになっている。また、ガス抜き弁としてのガス抜き側流量調節弁４２ａ、４２ｂは、必要に応じて開度調節されるが、基本的には全閉状態になっている（このため、図５においても冷媒の流れを図示しない）。接続ユニット４ａ、４ｂ、４ｃ、４ｄにおいては、高圧ガス開閉弁６６ａ、６６ｂ、６６ｃ、及び、低圧ガス開閉弁６７ｄを開状態にし、かつ、高圧ガス開閉弁６６ｄ、及び、低圧ガス開閉弁６７ａ、６７ｂ、６７ｃを閉状態にすることによって、利用ユニット３ａ、３ｂ、３ｃの利用側熱交換器５２ａ、５２ｂ、５２ｃを冷媒の放熱器として機能させ、かつ、利用ユニット３ｄの利用側熱交換器５２ｄを冷媒の蒸発器として機能させるとともに、利用ユニット３ｄの利用側熱交換器５２ｄと熱源ユニット２の圧縮機２１の吸入側とが低圧ガス冷媒連絡管９を介して接続された状態になり、かつ、利用ユニット３ａ、３ｂ、３ｃの利用側熱交換器５２ａ、５２ｂ、５２ｃと熱源ユニット２の圧縮機２１の吐出側とが高低圧ガス冷媒連絡管８を介して接続された状態になっている。利用ユニット３ａ、３ｂ、３ｃ、３ｄにおいては、利用側流量調節弁５１ａ、５１ｂ、５１ｃ、５１ｄは、開度調節されている。
【００９２】
このような冷媒回路１０において、圧縮機２１ａ、２１ｂで圧縮され吐出された高圧のガス冷媒は、高低圧切換機構３０ａ、３０ｂ及び高低圧ガス側閉鎖弁３２ａ、３２ｂを通じて、高低圧ガス冷媒連絡管８に送られて合流する。また、圧縮機２１ａ、２１ｂで圧縮され吐出された高圧のガス冷媒は、冷媒加熱器４４ａ、４４ｂにも送られる。そして、予冷熱交換器３５ａ、３５ｂに送られた高圧のガス冷媒は、予冷熱交換器３５ａ、３５ｂにおいて、室外ファン３４ａ、３４ｂによって供給される熱源としての室外空気と熱交換を行うことによって放熱する。そして、予冷熱交換器３５ａ、３５ｂにおいて放熱した冷媒は、冷媒冷却器３６ａ、３６ｂに送られて、電装品２０ａａ、２０ａｂを冷却する。冷媒冷却器３６ａ、３６ｂを通過した冷媒は、冷媒冷却側流量調節弁３７ａ、３７ｂにおいて流量調節された後、レシーバ出口管２８ｂａ、２８ｂｂに送られる。
【００９３】
そして、高低圧ガス冷媒連絡管８に送られて合流した高圧のガス冷媒は、３つに分岐されて、各接続ユニット４ａ、４ｂ、４ｃの高圧ガス接続管６３ａ、６３ｂ、６３ｃに送られる。高圧ガス接続管６３ａ、６３ｂ、６３ｃに送られた高圧のガス冷媒は、高圧ガス開閉弁６６ａ、６６ｂ、６６ｃ及び合流ガス接続管６５ａ、６５ｂ、６５ｃを通じて、利用ユニット３ａ、３ｂ、３ｃの利用側熱交換器５２ａ、５２ｂ、５２ｃに送られる。
【００９４】
そして、利用側熱交換器５２ａ、５２ｂ、５２ｃに送られた高圧のガス冷媒は、利用側熱交換器５２ａ、５２ｂ、５２ｃにおいて、室内ファン５３ａ、５３ｂ、５３ｃによって供給される室内空気と熱交換を行うことによって放熱する。一方、室内空気は、加熱されて室内に供給されて、利用ユニット３ａ、３ｂ、３ｃの暖房運転が行われる。利用側熱交換器５２ａ、５２ｂ、５２ｃにおいて放熱した冷媒は、利用側流量調節弁５１ａ、５１ｂ、５１ｃにおいて流量調節された後、接続ユニット４ａ、４ｂ、４ｃの液接続管６１ａ、６１ｂ、６１ｃに送られる。
【００９５】
そして、液接続管６１ａ、６１ｂ、６１ｃ、６１ｄに送られた冷媒は、液冷媒連絡管７に送られて合流する。
【００９６】
液冷媒連絡管７において合流した冷媒は、その一部が、接続ユニット４ｄの液接続管６１ｄに送られ、残りが、２つに分岐されて、液側閉鎖弁３１ａ、３１ｂ、入口逆止弁２９ｂａ、２９ｂｂ及びレシーバ入口開閉弁２８ｃａ、２８ｃｂを通じて、レシーバ２８ａ、２８ｂに送られる。
【００９７】
そして、接続ユニット４ｄの液接続管６１ｄに送られた冷媒は、利用ユニット３ｄの利用側流量調節弁５１ｄに送られる。
【００９８】
そして、利用側流量調節弁５１ｄに送られた冷媒は、利用側流量調節弁５１ｄにおいて流量調節された後、利用側熱交換器５２ｄにおいて、室内ファン５３ｄによって供給される室内空気と熱交換を行うことによって蒸発して低圧のガス冷媒となる。一方、室内空気は、冷却されて室内に供給されて、利用ユニット３ｄの冷房運転が行われる。そして、低圧のガス冷媒は、接続ユニット４ｄの合流ガス接続管６５ｄに送られる。
【００９９】
そして、合流ガス接続管６５ｄに送られた低圧のガス冷媒は、低圧ガス開閉弁６７ｄ及び低圧ガス接続管６４ｄを通じて、低圧ガス冷媒連絡管９に送られる。
【０１００】
そして、低圧ガス冷媒連絡管９に送られた低圧のガス冷媒は、２つに分岐されて、ガス側閉鎖弁３３ａ、３３ｂを通じて、圧縮機２１ａ、２１ｂの吸入側に戻される。
【０１０１】
また、レシーバ２８ａ、２８ｂに送られた冷媒は、レシーバ２８ａ、２８ｂ内に一時的に溜められた後、レシーバ出口管２８ｂａ、２８ｂｂに送られ、出口逆止弁２９ｄａ、２９ｄｂを通じて、熱源側流量調節弁２６ａ、２７ａ、２６ｂ、２７ｂの両方に送られる。そして、熱源側流量調節弁２６ａ、２７ａ、２６ｂ、２７ｂに送られた冷媒は、熱源側流量調節弁２６ａ、２７ａ、２６ｂ、２７ｂにおいて流量調節された後、熱源側熱交換器２４ａ、２５ａ、２４ｂ、２５ｂにおいて、室外ファン３４ａ、３４ｂによって供給される室外空気と熱交換を行うことによって蒸発して低圧のガス冷媒になり、熱交切換機構２２ａ、２３ａ、２２ｂ、２３ｂに送られる。そして、熱交切換機構２２ａ、２３ａ、２２ｂ、２３ｂに送られた低圧のガス冷媒は、合流して、圧縮機２１ａ、２１ｂの吸入側に戻される。
【０１０２】
このようにして、冷暖同時運転（放熱負荷主体）における動作が行われる。尚、暖房運転を行う利用ユニット（すなわち、冷媒の放熱器として機能する利用側熱交換器）の数が少なくなる等によって、利用側熱交換器５２ａ、５２ｂ、５２ｃ、５２ｄ全体の放熱負荷が小さくなる場合には、第１熱源側熱交換器２４ａ、２４ｂを冷媒の放熱器として機能させることで、第１熱源側熱交換器２４ａ、２４ｂの放熱負荷と第２熱源側熱交換器２５ａ、２５ｂの蒸発負荷とを相殺して熱源側熱交換器２４ａ、２５ａ、２４ｂ、２５ｂ全体の蒸発負荷を小さくする運転が行われる。
【０１０３】
＜試運転モード＞
次に、試運転モードの過充填検知運転における動作について、図２、図８及び図９を用いて説明する。ここで、図８は、試運転モードの過充填検知運転のフローチャートである。図９は、試運転モードの過充填検知運転における動作（冷媒の流れ）を示す図である。
【０１０４】
ここでは、現地において、冷媒が予め充填された熱源ユニット２ａ、２ｂと、利用ユニット３ａ、３ｂ、３ｃ、３ｄと、接続ユニット４ａ、４ｂ、４ｃ、４ｄとを、冷媒連絡管７、８、９を介して接続して冷媒回路１０を構成した後に、冷媒連絡管７、８、９の長さに応じて不足する冷媒を冷媒回路１０内に追加充填した後の試運転を例にして説明する。
【０１０５】
まず、熱源ユニット２ａ、２ｂの閉鎖弁３１ａ、３１ｂ、３２ａ、３２ｂ、３３ａ、３３ｂを開けて、熱源ユニット２ａ、２ｂに予め充填された冷媒を冷媒回路１０内に充満させる。
【０１０６】
次に、サービスマン等が、リモコン（図示せず）や制御部２０ａ、２０ｂ、５０ａ、５０ｂ、５０ｃ、５０ｄ等を通じて、試運転モードの過充填検知運転を行うように指令を出すと、下記のステップＳＴ１からステップＳＴ４の手順で過充填検知運転が行われる。
【０１０７】
過充填検知運転の開始指令がなされると、ステップＳＴ１の過充填検知運転が開始される。この過充填検知運転は、冷媒回路１０に冷媒が過充填されているかどうかを判定するための冷凍サイクル運転であり、ここでは、通常運転モードの冷房運転（図４参照）と同様に、利用ユニット３ａ、３ｂ、３ｃ、３ｄの全てが冷房運転を行い（すなわち、利用側熱交換器５２ａ、５２ｂ、５２ｃ、５２ｄの全てが冷媒の蒸発器として機能し）、かつ、複数の熱源ユニット２ａ、２ｂの全ての熱源側熱交換器２４ａ、２５ａ、２４ｂ、２５ｂが冷媒の放熱器として機能する運転（以下、「全利用ユニット冷房運転」とする）である。そして、この全利用ユニット冷房運転を行うと、冷媒回路１０内を循環する冷媒の状態が安定し、多くの液冷媒を熱源側熱交換器２４ａ、２５ａ、２４ｂ、２５ｂに溜めた状態にして、各熱源ユニット２ａ、２ｂのレシーバ２８ａ、２８ｂに液冷媒が極力溜まらない状態が作り出される。
【０１０８】
また、この過充填検知運転では、全利用ユニット冷房運転を行うとともに、下記のような冷媒回路１０内を循環する冷媒の状態をさらに安定させるための機器制御を行うようにしてもよい。具体的には、冷媒回路１０における高圧（ここでは、吐出圧力センサ７３ａ、７３ｂによって検出される冷媒の圧力を使用）が目標高圧になるように、室外ファン３４ａ、３４ｂの回転数を制御（以下、「高圧制御」とする）してもよい。また、冷媒回路１０における低圧（ここでは、吸入圧力センサ７１ａ、７１ｂによって検出される冷媒の圧力を使用）が目標低圧になるように、圧縮機２１ａ、２１ｂの運転容量を制御（以下、「低圧制御」とする）してもよい。また、冷媒の蒸発器として機能する利用側熱交換器５２ａ、５２ｂ、５２ｃ、５２ｄの出口における冷媒の過熱度が目標過熱度になるように、利用側流量調節機構５１ａ、５１ｂ、５１ｃ、５１ｄの開度を制御（以下、「過熱度制御」とする）してもよい。ここで、高圧制御を行うと、冷媒回路１０における高圧が安定することによって、冷媒回路１０における高圧部分（例えば、熱源側熱交換器２４ａ、２５ａ、２４ｂ、２５ｂや液冷媒連絡管７等）における冷媒量がさらに安定する。また、低圧制御及び過熱度制御を行うと、冷媒回路１０における低圧や冷媒の乾き度が安定することによって、冷媒回路１０における低圧部分（例えば、利用側熱交換器５２ａ、５２ｂ、５２ｃ、５２ｄやガス冷媒連絡管８、９等）における冷媒量がさらに安定する。すなわち、高圧制御、低圧制御及び過熱度制御を行うことによって、冷媒回路１０内を循環する冷媒の状態の安定度合いをさらに向上させることができる。
【０１０９】
このように、ステップＳＴ１において、全利用ユニット冷房運転を伴う過充填検知運転を開始すると、上記のように、多くの液冷媒が熱源側熱交換器２４ａ、２５ａ、２４ｂ、２５ｂに溜まり、その溜まり具合は、冷媒の放熱器として機能する熱源側熱交換器２４ａ、２５ａ、２４ｂ、２５ｂの出口における冷媒の過冷却度ＳＣａ、ＳＣｂ（ここでは、吐出圧力センサ７３ａ、７３ｂによって検出される冷媒の圧力を冷媒の飽和温度に換算し、この飽和温度を第１液管温度センサ７４によって検出される冷媒の温度から差し引いた温度差を使用）の値として現れるようになる。ここで、過冷却度ＳＣａは、熱源ユニット２ａの熱源側熱交換器２４ａ、２５ａの出口における過冷却度であり、過冷却度ＳＣｂは、熱源ユニット２ｂの熱源側熱交換器２４ｂ、２５ｂの出口における過冷却度である。すなわち、各熱源ユニット２ａ、２ｂの熱源側熱交換器２４ａ、２５ａ、２４ｂ、２５ｂに溜まる液冷媒の量に応じて、各熱源ユニット２ａ、２ｂの熱源側熱交換器２４ａ、２５ａ、２４ｂ、２５ｂの出口における冷媒の過冷却度ＳＣａ、ＳＣｂに変化が発生するようになる。
【０１１０】
ここで、後述のステップＳＴ２、ＳＴ３の判定処理を行わずに、各熱源ユニット２ａ、２ｂに設けられたレシーバ液面検知管４３ａ、４３ｂを用いて、冷媒回路１０に冷媒が過充填されているかどうかを判定することも考えられる。すなわち、冷媒の過充填が発生しているものと判定できる液面位置Ｌ１にレシーバ液面検知管４３ａ、４３ｂを接続しておき、この液面位置Ｌ１をレシーバ２８ａ、２８ｂの所定液面として、後述のステップＳＴ４と同様に、ガス抜き弁としてのガス抜き側流量調節弁４２ａ、４２ｂを開けてレシーバ２８ａ、２８ｂが所定液面Ｌ１まで達しているかどうかを検知し、レシーバ２８ａ、２８ｂが所定液面Ｌ１まで達している場合には、冷媒の過充填が発生しているものと判定するのである。
【０１１１】
しかし、この空気調和装置１では、複数（ここでは、２つ）の熱源ユニット２ａ、２ｂを接続した構成を採用しているため、冷媒が熱源ユニット２ａ、２ｂ間で偏流するおそれがあり、いずれかの熱源ユニットに冷媒が偏ると、冷媒回路１０に規定量の冷媒が充填されており冷媒の過充填が発生していないにもかかわらず、所定液面Ｌ１まで達しているレシーバを有する熱源ユニットが存在するものと判定される場合があり、冷媒が過充填されているものと誤検知するおそれがある。
【０１１２】
そこで、ここでは、ステップＳＴ４の過充填検知に先立って、ステップＳＴ２において、過充填検知運転時に、複数（ここでは、２つ）の熱源ユニット２ａ、２ｂ間の冷媒の偏流の有無を検知するための状態量である偏流検知状態量を複数の熱源ユニット２ａ、２ｂ間で比較して、偏流検知状態量間の関係が非偏流条件を満たすかどうかを判定するようにしている。ここで、偏流検知状態量としては、各熱源ユニット２ａ、２ｂの熱源側熱交換器２４ａ、２５ａ、２４ｂ、２５ｂの出口における冷媒の過冷却度ＳＣａ、ＳＣｂを採用している。なぜなら、上記のように、各熱源ユニット２ａ、２ｂの熱源側熱交換器２４ａ、２５ａ、２４ｂ、２５ｂの出口における冷媒の過冷却度ＳＣａ、ＳＣｂが各熱源ユニット２ａ、２ｂの熱源側熱交換器２４ａ、２５ａ、２４ｂ、２５ｂに溜まる液冷媒の量に応じて変化が発生する状態量であり、この各熱源ユニット２ａ、２ｂの熱源側熱交換器２４ａ、２５ａ、２４ｂ、２５ｂに溜まる液冷媒の量が、各熱源ユニット２ａ、２ｂのレシーバ２８ａ、２８ｂに溜まる液冷媒の量に対して大きく影響を及ぼすからである。
【０１１３】
具体的には、熱源ユニット２ａ側の過冷却度ＳＣａと熱源ユニット２ｂ側の過冷却度ＳＣｂとを比較して、例えば、所定の過冷却度差ΔＳＣ以内の温度差であれば、熱源ユニット２ａ、２ｂ間で偏流が発生しておらず、非偏流条件を満たしているものと判定する。尚、熱源ユニットが３台以上接続されている場合には、例えば、過冷却度ＳＣが最も大きいものと最も小さいものとを比較して、所定温度差ΔＳＣ以内の温度差であれば、熱源ユニット間で偏流が発生しておらず、非偏流条件を満たしているものと判定する。また、偏流検知状態量としては、各熱源ユニット２ａ、２ｂの熱源側熱交換器２４ａ、２５ａ、２４ｂ、２５ｂの出口における冷媒の過冷却度ＳＣａ、ＳＣｂに限定されるものではなく、過冷却度ＳＣａ、ＳＣｂに等価な状態量であれば、他の状態量であってもよい。
【０１１４】
また、ここでは、ステップＳＴ２の判定処理に加えて、ステップＳＴ３において、冷媒回路１０のうち複数（ここでは、２つ）の熱源ユニット２ａ、２ｂと利用ユニット３ａ、３ｂ、３ｃ、３ｄとを接続する液冷媒連絡管７を含むレシーバ２８ａ、２８ｂと利用側熱交換器５２ａ、５２ｂ、５２ｃ、５２ｄとの間の部分が液冷媒で満たされる液充満条件を満たすかどうかを判定するようにしている。具体的には、第２液管温度センサ８０ａ、８０ｂによって検出される冷媒の温度と吐出圧力センサ７３ａ、７３ｂによって検出される冷媒の圧力を換算して得られる冷媒の飽和温度とを比較して、例えば、第２液管温度センサ８０ａ、８０ｂによって検出される冷媒の温度のほうが低い場合には、液充満条件を満たしているものと判定する。ここで、液充満条件を満たすかどうかの判定を行うのは、過充填検知運転時に、熱源側熱交換器２４ａ、２５ａ、２４ｂ、２５ｂと同様に多くの液冷媒が溜まる液管部分にも確実に液冷媒を溜めた状態にして、各熱源ユニット２ａ、２ｂのレシーバ２８ａ、２８ｂに液冷媒が極力溜まらない状態を作り出すようにするためである。
【０１１５】
そして、ステップＳＴ２、ＳＴ３の判定処理を行って、非偏流条件及び液充満条件の両方を満たした後に、ステップＳＴ４の処理に移行する。
【０１１６】
そして、ステップＳＴ４では、各熱源ユニット２ａ、２ｂにおいて、ガス抜き弁としてガス抜き側流量調節弁４２ａ、４２ｂを開けてレシーバ２８ａ、２８ｂ内の液面が所定位置Ｌ１まで達しているかどうかを検知することで、冷媒回路１０に冷媒が過充填されているかどうかを判定する。具体的には、各熱源ユニット２ａ、２ｂのレシーバ２８ａ、２８ｂのいずれかにおいて、所定液面Ｌ１まで達しているものがあれば、過充填が発生しているものと判定し、各熱源ユニット２ａ、２ｂのレシーバ２８ａ、２８ｂのいずれにおいても、所定液面Ｌ１まで達しているものがなければ、過充填が発生しておらず、規定量の冷媒が冷媒回路１０に充填されているものと判定する。このように、ここでは、上記のように、複数の熱源ユニット２ａ、２ｂを接続した構成において、レシーバ液面検知管４３ａ、４３ｂによって過充填検知を行うにあたり、レシーバ液面検知管４３ａ、４３ｂのガス抜き弁としてのガス抜き側流量調節弁４２ａ、４２ｂを開けて過充填検知を行うタイミングを、熱源ユニット２ａ、２ｂ間で冷媒の偏流が発生していないとみなせる非偏流条件を満たした後にしている。
【０１１７】
尚、レシーバ液面検知管４３ａ、４３ｂによるレシーバ２８内の液面検知は、以下のようにして行われる。まず、レシーバ液面検知管４３ａ、４３ｂは、ガス抜き側流量調節弁４２ａ、４２ｂが開状態になると、図３及び図９に示すように、レシーバ２８ａ、２８ｂの所定の高さ位置Ｌ１から冷媒を抜き出す。ここで、レシーバ液面検知管４３ａ、４３ｂから抜き出された冷媒は、レシーバ２８ａ、２８ｂ内の液面が所定の高さ位置Ｌ１よりも低い場合は、ガス状態となり、レシーバ２８ａ、２８ｂ内の液面が所定の高さ位置Ｌ１以上である場合は、液状態となる。
【０１１８】
次に、レシーバ液面検知管４３ａ、４３ｂから抜き出された冷媒は、図３及び図９に示すように、レシーバガス抜き管４１ａ、４１ｂから抜き出された冷媒と合流する。ここで、レシーバガス抜き管４１ａ、４１ｂから抜き出された冷媒は、レシーバ２８ａ、２８ｂ内の液面が高さ位置Ｌ２（図３参照）より低い場合には、ガス状態である。このため、レシーバ液面検知管４３ａ、４３ｂから抜き出された冷媒がガス状態である場合には、レシーバガス抜き管４１ａ、４１ｂから抜き出された冷媒と合流した後にレシーバガス抜き管４１ａ、４１ｂを流れる冷媒も、ガス状態となる。一方、レシーバ液面検知管４３ａ、４３ｂから抜き出された冷媒が液状態である場合には、レシーバガス抜き管４１ａ、４１ｂから抜き出された冷媒と合流した後にレシーバガス抜き管４１ａ、４１ｂを流れる冷媒は、ガス冷媒に液冷媒が混入した気液二相状態となる。そして、レシーバ液面検知管４３ａ、４３ｂから抜き出された冷媒が合流した後のレシーバガス抜き管４１ａ、４１ｂを流れる冷媒は、ガス抜き側流量調節弁４２ａ、４２ｂによって圧縮機２１ａ、２１ｂの吸入側における冷媒の圧力近くまで減圧される。このガス抜き側流量調節弁４２ａ、４２ｂによる減圧操作によって、レシーバガス抜き管４１ａ、４１ｂを流れる冷媒は、減圧操作前の冷媒の状態に応じた温度降下が発生することになる。すなわち、レシーバガス抜き管４１ａ、４１ｂを流れる冷媒がガス状態である場合には、減圧操作による温度降下は小さく、気液二相状態である場合には、減圧操作による温度降下は大きくなる。このため、ここでは採用していないが、ガス抜き側流量調節弁４２ａ、４２ｂで減圧操作された後のレシーバガス抜き管４１ａ、４１ｂを流れる冷媒の温度を使用して、レシーバ液面検知管４３ａ、４３ｂから抜き出された冷媒が液状態であるかどうか（レシーバ２８ａ、２８ｂ内の液面が高さ位置Ｌ１まで達しているかどうか）を検知することもできる。
【０１１９】
次に、ガス抜き側流量調節弁４２ａ、４２ｂで減圧操作された後のレシーバガス抜き管４１ａ、４１ｂを流れる冷媒は、図３及び図９に示すように、冷媒加熱器４４ａ、４４ｂに送られて、圧縮機２１ａ、２１ｂの吐出側と予冷熱交換器３５ａ、３５ｂとの間を流れる高圧のガス冷媒と熱交換を行って加熱される。この冷媒加熱器４４ａ、４４ｂによる加熱操作によって、レシーバガス抜き管４１ａ、４１ｂを流れる冷媒は、加熱操作前の冷媒の状態に応じた温度上昇が発生することになる。すなわち、ガス抜き側流量調節弁４２ａ、４２ｂで減圧操作された後のレシーバガス抜き管４１ａ、４１ｂを流れる冷媒がガス状態である場合には、加熱操作による温度上昇が大きく、気液二相状態である場合には、減圧操作による温度上昇が小さくなる。このため、ここでは、ガス抜き側温度センサ７５ａ、７５ｂによって、冷媒加熱器４４ａ、４４ｂで加熱操作された後のレシーバガス抜き管４１ａ、４１ｂを流れる冷媒の温度を検出して、この検出された冷媒の温度を使用して、レシーバ液面検知管４３ａ、４３ｂから抜き出された冷媒が液状態であるかどうか（レシーバ２８ａ、４３ｂ内の液面が高さ位置Ｌ１まで達しているかどうか）を検知している。具体的には、ガス抜き側温度センサ７５ａ、７５ｂによって検出された冷媒の温度から吸入圧力センサ７１ａ、７１ｂによって検出された冷媒の圧力を換算することによって得られる冷媒の飽和温度を差し引くことによって、冷媒加熱器４４ａ、４４ｂで加熱操作された後のレシーバガス抜き管４１ａ、４１ｂを流れる冷媒の過熱度を得る。そして、この冷媒の過熱度が所定の温度差以上である場合には、レシーバ液面検知管４３ａ、４３ｂから抜き出された冷媒がガス状態である（レシーバ２８ａ、４３ｂ内の液面が高さ位置Ｌ１まで達していない）と判断し、この冷媒の過熱度が所定の温度差に達しない場合には、レシーバ液面検知管４３ａ、４３ｂから抜き出された冷媒が液状態である（レシーバ２８ａ、２８ｂ内の液面が高さ位置Ｌ１まで達している）と判定する。
【０１２０】
このようにして、試運転モードの過充填検知運転における動作が行われる。
【０１２１】
（３）冷凍装置（冷暖同時運転型空気調和装置）の特徴
冷暖同時運転型空気調和装置１には、以下のような特徴がある。
【０１２２】
＜Ａ＞
ここでは、上記のように、複数（ここでは、２つ）の熱源ユニット２ａ、２ｂを接続した構成において、レシーバ液面検知管４３ａ、４３ｂによって過充填検知を行うにあたり、レシーバ液面検知管４３ａ、４３ｂのガス抜き弁としてのガス抜き側流量調節弁４２ａ、４２ｂを開けて過充填検知を行うタイミングを、熱源ユニット２ａ、２ｂ間で冷媒の偏流が発生していないとみなせる非偏流条件を満たした後にしている。
【０１２３】
これにより、ここでは、熱源ユニット２ａ、２ｂ間で冷媒の偏流が発生していない状態でレシーバ液面検知管４３ａ、４３ｂによる過充填検知を誤検知なく行うことができる。
【０１２４】
＜Ｂ＞
ここでは、上記のように、過充填検知運転として、各熱源ユニット２ａ、２ｂの熱源側熱交換器２４ａ、２５ａ、２４ｂ、２５ｂを冷媒の放熱器として機能させる運転を採用することで、過充填検知運転時に、多くの液冷媒を熱源側熱交換器２４ａ、２５ａ、２４ｂ、２５ｂに溜めた状態にして、各熱源ユニット２ａ、２ｂのレシーバ２８ａ、２８ｂに液冷媒が極力溜まらない状態を作り出すようにしている。
【０１２５】
また、ここでは、上記のように、過充填検知運転時に、熱源側熱交換器２４ａ、２５ａ、２４ｂ、２５ｂと同様に多くの液冷媒が溜まる液管部分（液冷媒連絡管７を含むレシーバ２８ａ、２８ｂと利用側熱交換器５２ａ、５２ｂ、５２ｃ、５２ｄとの間の部分）にも確実に液冷媒を溜めた状態にして、各熱源ユニット２ａ、２ｂのレシーバ２８ａ、２８ｂに液冷媒が極力溜まらない状態を作り出すようにしている。
【０１２６】
これにより、ここでは、過充填が発生していない場合で、かつ、複数（ここでは、２つ）の熱源ユニット２ａ、２ｂ間の冷媒の偏流が発生していない場合には、各熱源ユニット２ａ、２ｂのレシーバ２８ａ、２８ｂの液面が所定液面Ｌ１よりも低い液面位置で安定した運転状態に保ち、そして、複数の熱源ユニット２ａ、２ｂ間の冷媒の偏流が発生した場合や過充填が発生した場合には、レシーバ２８ａ、２８ｂの液面の変化が明確に現れるようにすることができる。
【０１２７】
＜Ｃ＞
ここでは、上記のように、各熱源ユニット２ａ、２ｂの熱源側熱交換器２４ａ、２５ａ、２４ｂ、２５ｂに溜まる液冷媒の量に応じて変化が発生する各熱源側熱交換器２４ａ、２５ａ、２４ｂ、２５ｂの出口における冷媒の過冷却度ＳＣａ、ＳＣｂ、又は、過冷却度ＳＣａ、ＳＣｂに等価な状態量を偏流検知状態量としている。
【０１２８】
これにより、ここでは、過充填検知運転時に、各熱源ユニット２ａ、２ｂのレシーバ２８ａ、２８ｂに溜まる液冷媒の量に対して大きく影響を及ぼす各熱源ユニット２ａ、２ｂの熱源側熱交換器２４ａ、２５ａ、２４ｂ、２５ｂに溜まる液冷媒の量を比較することによって、非偏流条件を満たすかどうかを正確に判定することができる。
【０１２９】
（４）変形例
上記の実施形態では、本発明が適用される冷凍装置として、冷暖同時運転型空気調和装置１の構成例に挙げて説明しているが、これに限定されるものではない。例えば、冷暖切換運転型空気調和装置等の他の冷凍装置であっても、レシーバを有する複数の熱源ユニットと利用ユニットとが接続された構成であれば、本発明を適用することが可能である。
【０１３０】
また、上記の実施形態では、レシーバ液面検知管４３ａ、４３ｂが、レシーバガス抜き管４１ａ、４１ｂと兼用で設けられており、ガス抜き側流量調節弁４２ａ、４２ｂが液面検知時に開けられるガス抜き弁としても機能しているが、これに限定されるものではない。例えば、レシーバ液面検知管４３ａ、４３ｂがレシーバガス抜き管４１ａ、４１ｂから独立して設けられており、この独立設置されたレシーバ液面検知管４３ａ、４３ｂにガス抜き弁が設けられていてもよい。この際、ガス抜き弁は、電動膨張弁ではなく、電磁弁等の開閉制御が可能な弁であってもよい。また、レシーバ液面検知管４３ａ、４３ｂには、冷媒加熱器４４ａ、４４ｂが設けられているが、その加熱源は、圧縮機２１ａ、２１ｂから吐出された高圧のガス冷媒に限定されず、レシーバ出口管２８ｂａ、２８ｂｂを流れる液冷媒等であってもよい。
【０１３１】
また、上記の実施形態では、各熱源ユニット２ａ、２ｂにおいて、複数の熱源側熱交換器が設けられているが、これに限定されるものではなく、１つだけであってもよい。
【産業上の利用可能性】
【０１３２】
本発明は、圧縮機と熱源側熱交換器とレシーバとを有する複数の熱源ユニットと、利用側熱交換器を有する利用ユニットとが接続されることによって構成される冷媒回路を備えた冷凍装置に対して、広く適用可能である。
【符号の説明】
【０１３３】
１                              冷暖同時運転型空気調和装置（冷凍装置）
２ａ、２ｂ                      熱源ユニット
３ａ、３ｂ、３ｃ、３ｄ          利用ユニット
７                              液冷媒連絡管
１０                            冷媒回路
２１ａ、２１ｂ                  圧縮機
２４ａ、２５ａ、２４ｂ、２５ｂ  熱源側熱交換器
２８ａ、２８ｂ                  レシーバ
４２ａ、４２ｂ                  ガス抜き側流量調節弁（ガス抜き弁）
４３ａ、４３ｂ                  レシーバ液面検知管
５２ａ、５２ｂ、５２ｃ、５２ｄ  利用側熱交換器
【先行技術文献】
【特許文献】
【０１３４】
【特許文献１】特開２００６−２９２２１２号公報
【図１】
0005983678.tif 000002
【図２】
0005983678.tif 000003
【図３】
0005983678.tif 000004
【図４】
0005983678.tif 000005
【図５】
0005983678.tif 000006
【図６】
0005983678.tif 000007
【図７】
0005983678.tif 000008
【図８】
0005983678.tif 000009
【図９】
0005983678.tif 000010